(57)【特許請求の範囲】
【請求項１】
二次電池と、
前記二次電池を充電する太陽電池と、
近距離にある他の電子機器と無線通信する近距離無線通信部と、
高度を計測する高度計測部と、
前記高度計測部が計測する高度に基づいて登山に関する記録を示す登山記録情報を生成する情報生成部と、
前記情報生成部が生成する登山記録情報を記憶する記憶部と、
前記他の電子機器と通信するときにのみ前記二次電池から前記近距離無線通信部に電力を供給する電源制御部と、
前記記憶部が記憶する前記登山記録情報を前記近距離無線通信部から前記他の電子機器に送信する情報送信部と、
を備えることを特徴とする高度計。
【請求項２】
前記近距離無線通信部を介して前記他の電子機器から登山に関する計画を示す登山計画情報を受信する情報受信部を備え、
前記情報生成部は、前記情報受信部が受信した前記登山計画情報に基づいて、前記登山記録情報を生成する
ことを特徴とする請求項１に記載の高度計。
【請求項３】
前記登山計画情報は、上昇時の高度変化量を積算した上昇の積算高度値の計画値を含み、
前記情報生成部は、前記高度計測部が計測する高度に基づいて上昇の積算高度値を算出し、前記上昇の積算高度値の計画値に対する前記算出した上昇の積算高度値の達成率である上昇の達成率を前記登山記録情報として算出し、
表示部と、
前記上昇の達成率を前記表示部に表示する表示制御部と、
を備えることを特徴とする請求項２に記載の高度計。
【請求項４】
前記登山計画情報は、下降時の高度変化量を積算した下降の積算高度値の計画値を含み、
前記情報生成部は、前記高度計測部が計測する高度に基づいて下降の積算高度値を算出し、前記下降の積算高度値の計画値に対する前記算出した下降の積算高度値の達成率である下降の達成率を前記登山記録情報として算出し、
前記表示制御部は、前記下降の達成率を前記表示部に表示する
ことを特徴とする請求項３に記載の高度計。
【請求項５】
二次電池と、
前記二次電池を充電するための太陽電池と、
近距離にある他の電子機器と通信する近距離無線通信部と、
高度を計測する高度計測部と、
前記高度計測部が計測する高度に基づいて登山に関する記録を示す登山記録情報を生成する情報生成部と、
前記情報生成部が生成する登山記録情報を記憶する記憶部と、
前記他の電子機器と通信するときにのみ前記二次電池から前記近距離無線通信部に電力を供給する電源制御部と、
前記記憶部が記憶する前記登山記録情報を前記近距離無線通信部から前記他の電子機器に送信する情報送信部と、
を備えることを特徴とする電子時計。
【発明の詳細な説明】
【技術分野】
【０００１】
本発明は、高度計および電子時計に関する。
【背景技術】
【０００２】
気温・気圧・高度を測定して表示する機能を有する腕時計と連携して、これら測定値の過去の履歴や変動を長期に渡って確認できる携帯電話端末装置がある。特許文献１に記載の技術では、腕時計がブルートゥース（Ｂｌｕｅｔｏｏｔｈ（登録商標））の規格を用いた近距離通信により測定値を携帯電話端末装置に送信している。
【先行技術文献】
【特許文献】
【０００３】
【特許文献１】特開２０１１−２２８７８７号公報
【発明の概要】
【発明が解決しようとする課題】
【０００４】
しかしながら、特許文献１に記載の技術では、ブルートゥースの規格を用いた常時接続を前提としているため、腕時計と携帯電話端末装置ともに省電力化に限界があった。例えば、登山中などには長時間充電することができないため、腕時計の省電力化を図る必要がある。
【０００５】
そこで、本発明は上述の事情を鑑みてなされたものであり、省電力化を図ることができる高度計および電子時計を提供することを目的とする。
【課題を解決するための手段】
【０００６】
本発明は、二次電池と、前記二次電池を充電する太陽電池と、近距離にある他の電子機器と無線通信する近距離無線通信部と、高度を計測する高度計測部と、前記高度計測部が計測する高度に基づいて登山に関する記録を示す登山記録情報を生成する情報生成部と、前記情報生成部が生成する登山記録情報を記憶する記憶部と、前記他の電子機器と通信するときにのみ前記二次電池から前記近距離無線通信部に電力を供給する電源制御部と、前記記憶部が記憶する前記登山記録情報を前記近距離無線通信部から前記他の電子機器に送信する情報送信部と、を備えることを特徴とする高度計である。
【０００８】
また、本発明の他の態様の高度計において、前記近距離無線通信部を介して前記他の電子機器から登山に関する計画を示す登山計画情報を受信する情報受信部を備え、前記情報生成部は、前記情報受信部が受信した前記登山計画情報に基づいて、前記登山記録情報を生成することを特徴とする。
【０００９】
また、本発明の他の態様の高度計において、前記登山計画情報は、上昇時の高度変化量を積算した上昇の積算高度値の計画値を含み、前記情報生成部は、前記高度計測部が計測する高度に基づいて上昇の積算高度値を算出し、前記上昇の積算高度値の計画値に対する前記算出した上昇の積算高度値の達成率である上昇の達成率を前記登山記録情報として算出し、表示部と、前記上昇の達成率を前記表示部に表示する表示制御部と、を備えることを特徴とする。
【００１０】
また、本発明の他の態様の高度計において、前記登山計画情報は、下降時の高度変化量を積算した下降の積算高度値の計画値を含み、前記情報生成部は、前記高度計測部が計測する高度に基づいて下降の積算高度値を算出し、前記下降の積算高度値の計画値に対する前記算出した下降の積算高度値の達成率である下降の達成率を前記登山記録情報として算出し、前記表示制御部は、前記下降の達成率を前記表示部に表示することを特徴とする。
【００１１】
また、本発明の他の態様は、二次電池と、前記二次電池を充電するための太陽電池と、近距離にある他の電子機器と通信する近距離無線通信部と、高度を計測する高度計測部と、前記高度計測部が計測する高度に基づいて登山に関する記録を示す登山記録情報を生成する情報生成部と、前記情報生成部が生成する登山記録情報を記憶する記憶部と、前記他の電子機器と通信するときにのみ前記二次電池から前記近距離無線通信部に電力を供給する電源制御部と、前記記憶部が記憶する前記登山記録情報を前記近距離無線通信部から前記他の電子機器に送信する情報送信部と、を備えることを特徴とする電子時計である。
【発明の効果】
【００１２】
本発明によれば、二次電池と、二次電池を充電するための太陽電池と、近距離にある他の電子機器と通信する近距離無線通信部と、高度を計測する高度計測部と、電源制御部とを備える。電源制御部は、他の電子機器と通信するときにのみ二次電池から近距離無線通信部に電力を供給する。これにより、省電力化を図ることができる。
【図面の簡単な説明】
【００１３】
【図１】本発明の実施形態における計測システムの構成を示した概略図である。
【図２】本実施形態における設定情報のデータ構成の一例を示す概略図である。
【図３】本実施形態における登山記録情報のデータ構成の一例を示す概略図である。
【図４】本実施形態における携帯電子機器が表示する表示画面の一例を示すイメージ図である。
【図５】本実施形態における電子時計が表示する表示画面の一例を示すイメージ図である。
【図６】本実施形態における電子時計が表示する表示画面の一例を示すイメージ図である。
【図７】本実施形態における携帯電子機器が表示する表示画面の一例を示すイメージ図である。
【図８】本実施形態における計測システムが実行する同期処理の処理手順を示したフローチャートである。
【発明を実施するための形態】
【００１４】
以下、本発明の一実施形態について、図面を参照しながら説明する。図１は、本実施形態における計測システム１の構成を示した概略図である。図示する例では、計測システム１は、電子時計１００と携帯電子機器２００とを含んでいる。電子時計１００は、高度計測機能付き電子時計（高度計）である。電子時計１００は、通常モードと、計測モードと、記録モードと、近距離無線通信モードとの４つの動作モードを有する。
【００１５】
図示する例では、電子時計１００は、制御部１０１と、発振回路１０２と、分周回路１０３と、入力部１０４と、表示部１０５と、記憶部１０６と、気圧計測部１０７と、高度計測部１０８と、太陽電池１０９と、充放電制御回路１１０と、二次電池１１１と、スイッチ１１２と、アンテナ１１３と、近距離無線通信部１１４とを備える。
【００１６】
制御部１０１は、ＣＰＵ（Ｃｅｎｔｒａｌ  Ｐｒｏｃｅｓｓｉｎｇ  Ｕｎｉｔ）であり、電子時計１００が備える各部の制御を行う。また、制御部１０１は、分周回路１０３から入力された計測信号に基づいて現在時刻を計時する。制御部１０１は、電源制御部１０１１と、情報受信部１０１２と、情報生成部１０１３と、情報送信部１０１４と、表示制御部１０１５とを備える。
【００１７】
電源制御部１０１１は、近距離無線通信回路（近距離無線通信部１１４及びアンテナ１１３）の電源のオンまたはオフを制御する。具体的には、電源制御部１０１１は、近距離無線通信部１１４が携帯電子機器２００と通信するときにのみスイッチ１１２をオンにして二次電池１１１から近距離無線通信回路に電力を供給する。また、電源制御部１０１１は、近距離無線通信部１１４が携帯電子機器２００と通信しないときにはスイッチ１１２をオフにして二次電池１１１から近距離無線通信回路に電力を供給しない。
【００１８】
情報受信部１０１２は、近距離無線通信部１１４を介して携帯電子機器２００から設定情報を受信し、受信した設定情報を記憶部１０６に書き込む。設定情報は、電子時計１００に関する設定を示す情報であり、登山に関する計画を示す登山計画情報を含む。登山計画情報は、上昇積算高度値の計画値である上昇積算高度計画値と下降積算高度値の計画値である下降積算高度計画値とを含む。上昇積算高度値は、上昇時の高度変化量を積算した値である。下降積算高度値は、下降時の高度変化量を積算した値である。
【００１９】
情報生成部１０１３は、記録モード時に、高度計測部１０８が計測する高度と、情報受信部１０１２が受信した登山計画情報とに基づいて登山に関する記録を示す登山記録情報を生成し、生成した登山記録情報を記憶部１０６に書き込む。具体的には、情報生成部１０１３は、所定時間（例えば、１０秒）毎に、計時した日時と、高度計測部１０８が計測する高度と、算出した登高速度と、算出した上昇達成率と、算出した下降達成率とを登山記録情報に書き込んで記録する。登高速度は、高度を上昇する速度であり、高度の変化量を時間で除算することにより算出される値である。上昇達成率は、上昇積算高度計画値に対する上昇積算高度値の達成率（単位は％）である。下降達成率は、下降積算高度計画値に対する下降積算高度値の達成率である。
【００２０】
例えば、情報生成部１０１３は、高度計測部１０８が計測する高度に基づいて、上昇積算高度値と、下降積算高度値とを算出する。続いて、情報生成部１０１３は、上昇積算高度計画値と下降積算高度計画値とを記憶部１０６に記憶されている登山計画情報から読み出し、読み出した上昇積算高度計画値に対する上昇積算高度値の上昇達成率と下降積算高度計画値に対する下降積算高度値の下降達成率とを算出する。また、制御部１０１は、高度計測部１０８が計測する高度と、計時した時刻とに基づいて登高速度を算出する。
【００２１】
情報送信部１０１４は、記憶部１０６が記憶する登山記録情報を近距離無線通信部１１４から携帯電子機器２００に送信する。
【００２２】
表示制御部１０１５は、表示部１０５における表示を制御する。例えば、表示制御部１０１５は、記録モード時に、情報生成部１０１３が算出した登高速度と、高度計測部１０８が計測する高度と、計時する現在時刻と、情報生成部１０１３が算出した上昇達成率と、情報生成部１０１３が算出した下降達成率とを表示部１０５に表示する。このとき、表示制御部１０１５は、図形における所定の表示面積（インジケータ）で上昇達成率及び下降達成率を示す。
【００２３】
発振回路１０２は、所定周波数（例えば、３２７６８Ｈｚ）の発振信号を生成して分周回路１０３に出力する。分周回路１０３は、発振回路１０２から入力された発振信号の周波数を分周して計測の基準となる計測信号を生成し、生成した計測信号を制御部１０１に出力する。
【００２４】
入力部１０４は、スイッチ１０４Ａ〜Ｆを備え、操作入力を受け付ける。なお、入力部１０４は、複数のスイッチから構成されていてもよいし、１つのスイッチから構成されていてもよい。表示部１０５は、液晶ディスプレイまたはセグメントディスプレイ等であり、情報を表示する。
【００２５】
記憶部１０６は、ＲＡＭ（Ｒａｎｄｏｍ  Ａｃｃｅｓｓ  Ｍｅｍｏｒｙ、ランダムアクセスメモリ）やＲＯＭ（Ｒｅａｄ  Ｏｎｌｙ  Ｍｅｍｏｒｙ、読み出し専用メモリ）等から構成され、種々の情報を記憶する。例えば、記憶部１０６は、電子時計１００の各部が用いるデータを記憶する。具体的には、記憶部１０６は、情報受信部１０１２が受信した設定情報や、情報生成部１０１３が生成した登山記録情報を記憶する。また、記憶部１０６は、制御部１０１が実行する動作用プログラムを予め記憶している。この動作用プログラムは、制御部１０１の起動時に読み出される。
【００２６】
気圧計測部１０７は、例えば気圧センサであり、気圧を計測し、計測した気圧を高度計測部１０８に出力する。高度計測部１０８は、気圧計測部１０７から入力された気圧に基づいて高度を計測し、計測した高度を制御部１０１に出力する。気圧計測部１０７と高度計測部１０８とが、高度を計測する高度計を構成する。
【００２７】
太陽電池１０９は、光（太陽、照明など）を受光して電気エネルギーに変換する発電部である。太陽電池１０９は、二次電池１１１を充電する。充放電制御回路１１０は、二次電池１１１における充放電を制御する。例えば、充放電制御回路１１０は、太陽電池１０９が発電した電気エネルギーを二次電池１１１に充電する。また、充放電制御回路１１０は、負荷回路（例えば、近距離無線通信部１１４）の動作に必要な電力が二次電池１１１に充電されるまでは負荷回路への電源供給を行わない。二次電池１１１は、電子時計１００が備える各部に、動作するための電力を供給する。
【００２８】
スイッチ１１２は、二次電池１１１から近距離通信回路（アンテナ１１３及び近距離無線通信部１１４）への電力の供給をオンオフするためのスイッチである。アンテナ１１３は、近距離無線通信部１１４が通信するためのアンテナである。近距離無線通信部１１４は、ブルートゥース等の規格による近距離無線通信により他の機器と通信する。なお、近距離無線通信部１１４は、発振回路１０２において生成された３２ｋＨｚの発振信号を用いて通信する。このように、近距離通信機能と時計機能とで水晶を兼用することにより、電子時計１００を小型化することができる。
【００２９】
また、携帯電子機器２００は、例えば、スマートフォンや、携帯電話機や、タブレット端末等の携帯可能な電子機器である。携帯電子機器２００は、制御部２０１と、入力部２０２と、表示部２０３と、記憶部２０４と、アンテナ２０５と、近距離無線通信部２０６とを備える。
【００３０】
制御部２０１は、ＣＰＵから構成され、携帯電子機器２００が備える各部の制御を行う。入力部２０２は、各種スイッチや表示部２０３の表示画面に設置されたタッチパネル等であり、入力を受け付ける。表示部２０３は、液晶ディスプレイ等であり、情報を表示する。記憶部２０４は、ＲＡＭやＲＯＭ等から構成され、種々の情報を記憶する。
【００３１】
アンテナ２０５は、近距離無線通信部２０６が通信するためのアンテナである。近距離無線通信部２０６は、ブルートゥース等の規格による近距離無線通信により他の機器と通信する。
【００３２】
次に、携帯電子機器２００から電子時計１００に送信する設定情報について説明する。図２は、本実施形態における設定情報のデータ構成の一例を示す概略図である。図示する例では、設定情報は、時刻設定と、時計設定と、単位設定と、個人設定と、アラーム設定と、ワールドタイム設定と、登山計画とを含む。
【００３３】
時刻設定は、時刻に関する設定であり、現在日時と、基準緯度・経度と、時差と、ＤＳＴ（Ｄａｙｌｉｇｈｔ  Ｓａｖｉｎｇ  Ｔｉｍｅ）時差と、ＤＳＴ  Ｏｎ／Ｏｆｆとを含む。現在日時は、携帯電子機器２００がもつ時計の現在年月日時分秒である。基準緯度・経度は、携帯電子機器２００がもつ現在位置情報の緯度・経度である。時差は、携帯電子機器２００がもつ現在地の時差情報である。ＤＳＴ時差は、携帯電子機器２００がもつ現在地のＤＳＴ時差情報である。ＤＳＴ  Ｏｎ／Ｏｆｆは、携帯電子機器２００がもつ現在時刻がＤＳＴを含むか否かの情報である。
【００３４】
時計設定は、電子時計１００に関する設定であり、１２／２４時制設定と、コントラスト設定と、パワーセーブ設定と、操作確認音設定と、定期時刻同期設定と、照明点灯時間設定とを含む。１２／２４時制設定は、時制の設定値である。コントラスト設定は、液晶ディスプレイのコントラスト設定値である。パワーセーブ設定は、発電が無い状態で省電力モードに移行するまでの時間である。操作確認音設定は、操作確認音のＯｎ／Ｏｆｆ設定値である。定期時刻同期設定は、２４時間毎の定期時刻同期のＯｎ／Ｏｆｆ設定値である。照明点灯時間設定は、照明の点灯時間である。
【００３５】
単位設定は、単位に関する設定であり、体重単位設定と、高度単位設定と、気圧単位設定と、温度単位設定と、消費エネルギー単位設定とを含む。体重単位設定は、体重の単位（ｋｇまたはｌｂ）の選択設定である。高度単位設定は、高度の単位（ｍまたはＦｔ）の選択設定である。気圧単位設定は、気圧の単位（ｈＰａまたはｉｎＨｇ）の選択設定である。温度単位設定は、温度の単位（℃または°Ｆ）の選択設定である。消費エネルギー単位設定は、消費エネルギーの単位（ｋｃａｌまたはｋＪ）の選択設定である。
【００３６】
個人設定は、登山者に関する設定であり、体重と、荷物重量とを含む。体重は、登山者の体重である。荷物重量は、登山者が携帯する荷物の重量である。
【００３７】
アラーム設定は、アラームに関する設定であり、アラーム１設定と、アラーム２設定と、アラーム３設定とを含む。アラーム１設定は、アラーム１のＯｎ／Ｏｆｆおよび時刻設定である。アラーム２設定は、アラーム２のＯｎ／Ｏｆｆおよび時刻設定である。アラーム３設定は、アラーム３のＯｎ／Ｏｆｆおよび時刻設定である。
【００３８】
ワールドタイム設定は、ワールドタイムに関する設定であり、リストバージョンと、インデックスと、ステップ番号とを含む。リストバージョンは、ワールドタイムリストのバージョンである。インデックスは、ワールドタイムモードで表示する都市の選択値である。ステップ番号は、ワールドタイムリスト更新情報である。
【００３９】
登山計画は、登山の計画に関する登山計画情報であり、計画番号と、計画シリアル値と、登山計画年月日と、開始高度・終了高度と、積算上昇・下降高度と、登山地の基準緯度・経度と、登山地の基準標高と、登山地の基準時差と、登山地のＤＳＴ時差と、登山地のＤＳＴ設定とを含む。計画番号は、登山計画を識別する番号（例えば、１〜７）である。計画シリアル値は、登山計画を作成した時点の時刻シリアル値である。登山計画年月日は、登山予定日時である。開始高度・終了高度は、登山地における登山の開始地点の高度と終了地点の高度である。積算上昇・下降高度は、登山地における上昇積算高度計画値と下降積算高度計画値である。登山地の基準緯度・経度は、登山地の基準緯度と基準経度である。登山地の基準標高は、登山地の基準標高である。登山地の基準時差は、登山地の基準時差である。登山地のＤＳＴ時差は、登山地のＤＳＴ時差である。登山地のＤＳＴ設定は、登山地の時刻がＤＳＴを含むか否かの情報である。
【００４０】
次に、電子時計１００から携帯電子機器２００に送信する登山記録情報について説明する。図３は、本実施形態における登山記録情報のデータ構成の一例を示す概略図である。図示する例では、登山記録情報は、登山データ数と、登山概要データと、登山詳細データとを含む。
【００４１】
登山データ数は、登山データの数に関する情報であり、登山データ数と、未アップロードデータ数とを含む。登山データ数は、電子時計１００に保存されている登山データの数である。登山データは、登山に関する情報であり、登山概要データ及び登山詳細データである。未アップロード数は、登山データ数のうち、携帯電子機器２００にアップロード（送信）されていない登山データの数である。
【００４２】
登山概要データは、登山の概要を示す情報であり、計画シリアル値と、計測開始日時と高度と、計測終了日時と高度と、最高高度とその時刻と、最低高度とその時刻と、平均上昇高度・下降高度と、消費エネルギーと、積算上昇高度・下降高度と、高度ログデータ数とを含む。計画シリアル値は、登山計画を作成した時点の時刻シリアル値である。計測開始日時と高度は、高度の計測（登山）を開始した日時とそのとき計測した高度である。計測終了日時と高度は、高度の計測（登山）を終了した日時とそのとき計測した高度である。最高高度とその時刻は、登山中に計測した最も高い高度と当該高度を計測した時刻である。最低高度とその時刻は、登山中に計測した最も低い高度と当該高度を計測した時刻である。平均上昇高度・下降高度は、高度を上昇する速度の平均値と高度を下降する速度の平均値である。消費エネルギーは、登山中に消費したエネルギーである。積算上昇高度・下降高度は、登山中における上昇積算高度値と下降積算高度値である。高度ログデータ数は、計測した高度の数である。
【００４３】
登山詳細データは、登山の詳細を示す情報であり、計測した高度データの数と、計測した高度データの値とを含む。計測した高度データの数は、高度を計測した数である。計測した高度データの値は、計測した高度の値である。
【００４４】
次に、本実施形態における計測システム１の動作について説明する。まず、使用者は、登山前に、携帯電子機器２００において登山計画情報を生成する。そして、使用者は、生成した登山計画情報を携帯電子機器２００から電子時計１００に送信する。以下、登山計画情報を生成する際の携帯電子機器２００の動作について説明する。図４は、本実施形態における携帯電子機器２００が表示する表示画面の一例を示すイメージ図である。
【００４５】
まず、携帯電子機器２００の表示部２０３に表示される初期画面Ａ１には、電子時計１００の機種の選択を促すメッセージ「Ｃｈｏｏｓｅ  ａ  ｗａｔｃｈ」及び、機種の選択肢「機種Ａ」と「機種Ｂ」とが表示される。初期画面Ａ１において、表示された選択肢のうち使用者が「機種Ａ」を選択した場合、モード選択画面Ａ２が表示部２０３に表示される。
【００４６】
モード選択画面Ａ２には、モードの選択肢として、「登山計画」と、「登山記録」と、「設定」と、「ヘルプ」と、「設定を同期」とが表示される。「登山計画」は、登山計画情報を登録するモードを選択する選択肢である。「登山記録」は、記憶している登山記録情報を再生するモードを選択する選択肢である。「設定」は、電子時計１００に関する設定をするモードを選択する選択肢である。「ヘルプ」は、使い方を説明するモードを選択する選択肢である。「設定を同期」は、電子時計１００と通信して同期処理をするモードを選択する選択肢である。同期処理は、携帯電子機器２００から電子時計１００に設定情報を送信し、電子時計１００から携帯電子機器２００に登山記録情報を送信する処理である。モード選択画面Ａ２において、表示された選択肢のうち使用者が「登山計画」を選択した場合、登山計画画面Ａ３が表示部２０３に表示される。
【００４７】
登山計画画面Ａ３には、登山計画の選択肢として、Ｐｌａｎ０１〜Ｐｌａｎ０４が
表示されている。すなわち、図示する例では、４つの登山計画を登録することができ
る。なお、登山計画の登録可能数は４つに限らず、１つ以上であればどのような数で
あってもよい。登山計画画面Ａ３において、表示された選択肢のうち使用者が「Ｐｌａｎ０１」を選択した場合、新規登山計画作成画面Ａ４が表示部２０３に表示される。
【００４８】
新規登山計画作成画面Ａ４には、登山計画を作成する方法の選択肢として、「百名山から選ぶ」と、「登山記録から作成」と、「自分で計画を作成」とが表示される。「百名山から選ぶ」は、百名山から登山する山を選択する方法を選択する選択肢である。「登山記録から作成」は、登山記録情報から登山計画を作成する方法を選択する選択肢である。「自分で計画を作成」は、自分で登山計画を作成する方法を選択する選択肢である。新規登山計画作成画面Ａ４において、表示された選択肢のうち使用者が「百名山から選ぶ」を選択した場合、百名山選択画面Ａ５が表示部２０３に表示される。
【００４９】
百名山選択画面Ａ５には、登山する山の選択肢しとして、各地域にある百名山の名称が表示される。百名山選択画面Ａ５において、表示された選択肢のうち使用者が「筑波山」を選択した場合、筑波山に関する登山計画詳細画面Ａ６が表示部２０３に表示される。
【００５０】
登山計画詳細画面Ａ６には、入力項目として、登山日と、登山開始時刻と、登山終了時刻と、筑波山に関する情報（歩行時間「６：２５」と、標高「８７７ｍ」と、登山開始高度「２１７ｍ」と、登山終了高度「２１７ｍ」と、累積上昇高度「６８０ｍ」と、累積下降高度「６８０ｍ」）とが表示される。なお、筑波山に関する情報は、予め入力されている。また、登山計画詳細画面Ａ６には、電子時計１００と同期処理するモードを選択する選択肢「設定を同期する」が表示される。登山計画詳細画面Ａ６において、操作者が「設定を同期する」を選択した場合、登山計画詳細画面Ａ６にはポップアップＰ１が表示される。
【００５１】
ポップアップＰ１には、電子時計１００と同期処理をすることを示すメッセージ「設定を同期」と、電子時計１００において近距離通信の開始を指示するメッセージ「ウォッチの通信を開始してください」とが表示される。また、ポップアップＰ１には、通信を開始するか否かの選択肢として「キャンセル」と、「ＯＫ」とが表示される。ポップアップＰ１において、表示された選択肢のうち使用者が「ＯＫ」を選択した場合、登山計画詳細画面Ａ６にはポップアップＰ２が表示される。
【００５２】
ポップアップＰ２には、電子時計１００と通信中であることを示すメッセージ「通信中」と、電子時計１００との通信を中止する選択肢「キャンセル」とが表示される。携帯電子機器２００は、同期処理において、登山計画詳細画面Ａ６において生成された登山計画情報を含む設定情報を電子時計１００に送信し、電子時計１００から登山記録情報を受信する。電子時計１００との同期処理が完了すると、登山計画詳細画面Ａ６にはポップアップＰ３が表示される。
【００５３】
ポップアップＰ３には、電子時計１００との同期処理が成功したことを示すメッセージ「ウォッチとの同期が成功しました」と、ポップアップＰ３を閉じるための選択肢「ＯＫ」とが表示される。
【００５４】
続いて、同期処理する際の電子時計１００における動作について説明する。図５は、本実施形態における電子時計１００が表示する表示画面の一例を示すイメージ図である。
【００５５】
電子時計１００の制御部１０１は、通常モード時には、通常画面Ｂ１を表示部１０５に表示する。通常画面Ｂ１には、曜日「ＭＯＮ」と、時刻「１０：０８」と、日付「８−２」とが表示される。
【００５６】
例えば、使用者は、携帯電子機器２００においてポップアップＰ１が表示されると、電子時計１００を操作して近距離無線通信部１１４による通信を開始する。制御部１０１は、近距離無線通信の開始を指示する操作入力（例えば、入力部１０４にあるスイッチ１０４Ｂを長押し（３秒以上の押下））を入力部１０４が受け付けると、動作モードを近距離通信モードに移行する。そして、制御部１０１は、スイッチ１１２をオンにして近距離無線通信回路に電力を供給し、近距離無線通信部１１４による通信を開始する。制御部１０１は、近距離通信モードに移行すると、通信開始画面Ｂ２を表示部１０５に表示する。通信開始画面Ｂ２には、近距離通信モード中であることを示すマークｍ１と、携帯電子機器２００と未接続であることを示すマークｍ２とが表示される。
【００５７】
使用者は、通信開始画面Ｂ２が電子時計１００に表示されると、携帯電子機器２００に表示されているポップアップＰ１にある選択肢「ＯＫ」を選択する。制御部１０１は、近距離無線通信部１１４が携帯電子機器２００と接続して通信を開始すると、接続・通信中画面Ｂ３を表示部１０５に表示する。接続・通信中画面Ｂ３には、近距離通信モード中であることを示すマークｍ１と、携帯電子機器２００と接続したことを示すマークｍ３とが表示される。
【００５８】
制御部１０１は、携帯電子機器２００との同期処理が完了すると、携帯電子機器２００との接続を解除する。その後、制御部１０１は、スイッチ１１２をオフにして近距離無線通信回路への電力の供給を停止する。そして、制御部１０１は、動作モードを通常モードに移行して、接続解除画面Ｂ４を表示部１０５に表示する。接続解除画面Ｂ４には、携帯電子機器２００との接続が解除されたことを示すメッセージ「ＬＩＮＫ  ＯＦＦ」が表示される。なお、電子時計１００に接続解除画面Ｂ４が表示されるときに、携帯電子機器２００にはポップアップＰ３が表示される。制御部１０１は、接続解除画面Ｂ４を１秒間表示した後、通常画面Ｂ１に戻す。
【００５９】
続いて、使用者の登山中に、電子時計１００が登山記録情報を記録する動作について説明する。図６は、本実施形態における電子時計１００が表示する表示画面の一例を示すイメージ図である。
【００６０】
電子時計１００の制御部１０１は、通常モード時には、通常画面Ｂ１１を表示部１０５に表示する。通常画面Ｂ１１には、曜日「ＭＯＮ」と、時刻「１０：０８」と、日付「８−２」とが表示される。
【００６１】
制御部１０１は、通常モード時に、入力部１０４にあるスイッチ１０４Ａが入力を受け付けると、動作モードを計測モードに移行する。制御部１０１は、計測モードに移行すると、高度計測部１０８による高度の計測を開始して計測画面Ｂ１２を表示部１０５に表示する。計測画面Ｂ１２には、登高速度「３００」と、高度「１２３４」と、時刻「８：００」とが表示される。
【００６２】
制御部１０１は、計測モード時に、入力部１０４にあるスイッチ１０４Ｃが入力を受け付けると、登山計画情報を選択する登山計画選択画面Ｂ１３を表示部１０５に表示する。登山計画選択画面Ｂ１３には、登山計画情報を示すメッセージ「ＰＬＡＮ」と、登山計画番号「０１」と、日付「８−２」とが表示される。
【００６３】
制御部１０１は、登山計画選択画面Ｂ１３が表示されているときに、スイッチ１０４Ｃが長押し（３秒以上の押下）入力を受け付けると、登山記録情報を記録する記録モードに動作モードを移行する。制御部１０１は、記録モードに移行すると、記録画面Ｂ１４を表示部１０５に表示する。制御部１０１は、記録モード時には、高度計測部１０８が計測する高度に基づいて登高速度を算出する。また、制御部１０１は、記録モード時には、高度計測部１０８が計測する高度と登山計画選択画面Ｂ１３において選択された登山計画情報とに基づいて、上昇達成率と下降達成率とを算出する。そして、制御部１０１は、計時した日時と、高度計測部１０８が計測する高度と、算出した登高速度と、算出した上昇達成率と、算出した下降達成率とを表示部１０５に表示する。また、制御部１０１は、所定時間毎に、計時した日時と、高度計測部１０８が計測する高度と、算出した登高速度と、算出した上昇達成率と、算出した下降達成率とを登山記録情報に記録する。記録画面Ｂ１４には、登高速度「３００」と、高度「１２３４」と、時刻「１１：２５」と、登山記録情報を記録していることを示すマーク「ＲＥＣ」と、上昇達成率を示すインジケータＩｕと、下降達成率を示すインジケータＩｄとが表示される。
【００６４】
インジケータＩｕ及びインジケータＩｄは、図形における所定の表示面積で上昇達成率または下降達成率を示す。具体的には、インジケータＩｕ及びインジケータＩｄにおいてその表示面積が広いほど上昇達成率または下降達成率が高く、表示面積が狭いほど上昇達成率または下降達成率が低い。また、インジケータＩｕは、下側が０％を示し、上側が１００％を示す。すなわち、インジケータＩｕは、上昇達成率が上がると下側から上側に順にその表示面積が大きくなる。また、インジケータＩｄは、上側が０％を示し、下側が１００％を示す。すなわち、インジケータＩｄは、下降達成率が上がると上側から下側に順にその表示面積が大きくなる。
【００６５】
制御部１０１は、記録モード時にスイッチ１０４Ｃが長押し入力を受け付けると、登山記録情報の記録を終了して計測モードに移行し、計測画面Ｂ１２を表示部１０５に表示する。
【００６６】
操作者は、登山終了後、すなわち、電子時計１００において登山記録情報の記録が完了した後に、記録した登山記録情報を携帯電子機器２００で表示して確認することができる。よって、電子時計１００は、登山記録情報の記録中に携帯電子機器２００と通信する必要がない。以下、電子時計１００において記録した登山記録情報を携帯電子機器２００で表示する際の動作について説明する。図７は、本実施形態における携帯電子機器２００が表示する表示画面の一例を示すイメージ図である。
【００６７】
まず、携帯電子機器２００の表示部２０３に表示される初期画面Ａ１１には、電子時計１００の機種の選択を促すメッセージ「Ｃｈｏｏｓｅ  ａ  ｗａｔｃｈ」及び、機種の選択肢「機種Ａ」と「機種Ｂ」とが表示される。初期画面Ａ１１において、表示された選択肢のうち使用者が「機種Ａ」を選択した場合、モード選択画面Ａ１２が表示部２０３に表示される。
【００６８】
モード選択画面Ａ１２には、モードの選択肢として、「登山計画」と、「登山記録」
と、「設定」と、「ヘルプ」と、「設定を同期」とが表示される。モード選択画面Ａ１２において、表示された選択肢のうち使用者が「登山記録」を選択した場合、登山記録画面Ａ１３が表示部２０３に表示される。
【００６９】
登山記録画面Ａ１３には、過去に記録された、携帯電子機器２００に記憶されている登山記録情報の山名「赤城山」と、その登山日「登山日：２０１５／１１／２７（金）」とが表示される。すなわち、図示する例では、１つの登山記録情報が携帯電子機器２００に記憶されている。また、登山記録画面Ａ１３には、電子時計１００と同期処理するモードを選択する選択肢「設定を同期する」が表示される。登山記録画面Ａ１３において、使用者が「設定を同期する」を選択した場合、登山記録画面Ａ１３にはポップアップＰ１が表示される。
【００７０】
ポップアップＰ１において、使用者が「ＯＫ」を選択した場合、登山記録画面Ａ１３にはポップアップＰ２が表示される。電子時計１００との同期処理が完了すると、登山記録画面Ａ１３にはポップアップＰ３が表示される。ポップアップＰ３において、使用者が「ＯＫ」を選択した場合、ポップアップＰ３が非表示になり、登山記録画面Ａ１４が表示部２０３に表示される。
【００７１】
登山記録画面Ａ１４には、登山記録画面Ａ１３に表示されていた登山記録情報に加えて、山名「筑波山」とその登山日「登山日：２０１５／１２／１５（水）」とが表示される。山名「筑波山」に関する登山記録情報は、同期処理において携帯電子機器２００が電子時計１００から受信したものである。登山記録画面Ａ１４において、表示された登山記録情報のうち使用者が「筑波山」の「登山日：２０１５／１２／１５（水）」を選択した場合、登山記録詳細画面Ａ１５が表示部２０３に表示される。
【００７２】
登山記録詳細画面Ａ１５には、写真を登録するための選択肢「タップして写真を登録」と、選択された登山記録の詳細「筑波山  登山日：２０１５／１２／１５（水）   天気： ・・・」と、記録した高度の変化を示すグラフを見るための選択肢「グラフを見る」とが表示される。登山記録詳細画面Ａ１５において、表示された選択肢のうち使用者が「グラフを見る」を選択した場合、グラフ画面Ａ１６が表示部２０３に表示される。
【００７３】
グラフ画面Ａ１６には、山名「筑波山」と、登山日時「２０１５／１２／１５（水）０８：００：００」と、登山時の高度の変化を示すグラフとが表示される。当該グラフの横軸は時間であり、縦軸は高度である。
【００７４】
このように、計測システム１では、電子時計１００において記録した登山記録情報を、携帯電子機器２００において表示することができるため、視認性が向上する。また、登山記録情報を携帯電子機器２００において管理することができるため、操作性が向上する。
【００７５】
図８は、本実施形態における計測システム１が実行する同期処理の処理手順を示したフローチャートである。図８（Ａ）は、本実施形態における携帯電子機器２００が実行する同期処理の処理手順を示したフローチャートである。
【００７６】
（ステップＳ１０１）制御部２０１は、登山計画詳細画面Ａ６において入力された情報に基づいて、登山計画情報を生成する。その後、ステップＳ１０２の処理に進む。
（ステップＳ１０２）制御部２０１は、登山計画詳細画面Ａ６において、選択肢「設定を同期する」が選択されると、同期処理を開始する。その後、ステップＳ１０３の処理に進む。
【００７７】
（ステップＳ１０３）制御部２０１は、近距離無線通信部２０６によりアドバタイズ（Ａｄｖｅｒｔｉｚｅ）のスキャン（Ｓｃａｎ）を開始する。その後、ステップＳ１０４の処理に進む。
（ステップＳ１０４）制御部２０１は、近距離無線通信部２０６がアドバタイズを受信したか否かを判定する。当該アドバタイズは、後述するステップＳ２０３において電子時計１００が送信するものである。アドバタイズを受信したと制御部２０１が判定した場合にはステップＳ１０５の処理に進む。また、アドバタイズを受信していないと制御部２０１が判定した場合にはステップＳ１０９の処理に進む。
【００７８】
（ステップＳ１０５）制御部２０１は、アドバタイズの送信元の電子時計１００に近距離無線通信部２０６からコネクションリクエスト（Ｃｏｎｎｅｃｔｉｏｎ  Ｒｅｑｕｅｓｔ）を送信する。その後、ステップＳ１０６の処理に進む。
（ステップＳ１０６）制御部２０１は、ステップＳ１０１において生成した登山計画情報を含む設定情報を近距離無線通信部２０６から電子時計１００に送信する。その後、ステップＳ１０７の処理に進む。
【００７９】
（ステップＳ１０７）制御部２０１は、近距離無線通信部２０６において電子時計１００から登山記録情報を受信する。当該登山記録情報は、後述するステップＳ２０６において電子時計１００が送信するものである。その後、ステップＳ１０８の処理に進む。
（ステップＳ１０８）制御部２０１は、接続終了コマンドを近距離無線通信部２０６から電子時計１００に送信する。その後、処理を終了する。
【００８０】
（ステップＳ１０９）制御部２０１は、アドバタイズの受信時間がタイムアウト（Ｔｉｍｅ  Ｏｕｔ）したか否かを判定する。タイムアウトしたと制御部２０１が判定した場合にはステップＳ１１０の処理に進む。また、タイムアウトしていないと制御部２０１が判定した場合にはステップＳ１０４の処理に戻る。
【００８１】
（ステップＳ１１０）制御部２０１は、アドバタイズのスキャンを終了する。その後、ステップＳ１１１の処理に進む。
（ステップＳ１１１）制御部２０１は、表示部２０３に同期処理に失敗したことを示すエラー（Ｅｒｒ）を表示部２０３に表示する。その後、処理を終了する。
【００８２】
図８（Ｂ）は、本実施形態における電子時計１００が実行する同期処理の処理手順を示したフローチャートである。
【００８３】
（ステップＳ２０１）制御部１０１は、動作モードを近距離無線通信モードに移行する。その後、ステップＳ２０２の処理に進む。
（ステップＳ２０２）制御部１０１は、スイッチ１１２をオンにして、近距離無線通信回路の電源をオンにする。その後、ステップＳ２０３の処理に進む。
【００８４】
（ステップＳ２０３）制御部１０１は、近距離無線通信部１１４からアドバタイズを送信する。その後、ステップＳ２０４の処理に進む。
（ステップＳ２０４）制御部１０１は、近距離無線通信部１１４が携帯電子機器２００からコネクションリクエストを受信したか否かを判定する。当該コネクションリクエストは、上述したステップＳ１０５において携帯電子機器２００が送信したものである。コネクションリクエストを受信したと制御部１０１が判定した場合にはステップＳ２０５の処理に進む。また、コネクションリクエストを受信していないと制御部１０１が判定した場合にはステップＳ２０９の処理に進む。
【００８５】
（ステップＳ２０５）制御部１０１は、近距離無線通信部１１４において携帯電子機器２００から設定情報を受信する。当該設定情報は、上述したステップＳ１０６において携帯電子機器２００が送信したものである。その後、ステップＳ２０６の処理に進む。
（ステップＳ２０６）制御部１０１は、近距離無線通信部１１４から携帯電子機器２００に登山記録情報を送信する。その後、ステップＳ２０７の処理に進む。
【００８６】
（ステップＳ２０７）制御部１０１は、近距離無線通信部１１４において携帯電子機器２００から接続終了コマンドを受信する。当該接続終了コマンドは、上述したステップＳ１０８において携帯電子機器２００が送信したものである。その後、ステップＳ２０８の処理に進む。
（ステップＳ２０８）制御部１０１は、スイッチ１１２をオフにして、近距離無線通信回路の電源をオフにする。その後、処理を終了する。
【００８７】
（ステップＳ２０９）制御部１０１は、コネクションリクエストの受信時間がタイムアウトしたか否かを判定する。タイムアウトしたと制御部１０１が判定した場合にはステップＳ２１０の処理に進む。また、タイムアウトしていないと制御部１０１が判定した場合にはステップＳ２０４の処理に戻る。
（ステップＳ２１０）制御部１０１は、同期処理に失敗したことを示すエラーを表示部１０５に表示する。その後、ステップＳ２０８の処理に進む。
【００８８】
上述したとおり、本実施形態では、電子時計１００は、二次電池１１１と、二次電池１１１を充電する太陽電池１０９と、近距離にある他の携帯電子機器２００と無線通信する近距離無線通信部１１４と、高度を計測する高度計測部１０８と、携帯電子機器２００と通信するときにのみ二次電池１１１から近距離無線通信部１１４に電力を供給する電源制御部１０１１と、を備える。
【００８９】
これにより、電子時計１００は、近距離無線通信部１１４が通信しないときには近距離無線通信部１１４に電力が供給しない。このため、通信に関する電力の消費を低減することができる。また、二次電池１１１の電池残量が略０からの発電による復帰が安定する。また、太陽電池１０９を搭載しているため、登山中等に二次電池１１１を充電することができる。すなわち、追加の充電器が不要である。これにより、電子時計１００は、省電力化を図ることができる。よって、登山中に電池交換を必要とする事態が生じにくくなり、登山中の高度計測部１０８における高度計測および表示部１０５における表示の動作を安定して確保できるようになる。
【００９０】
また、電子時計１００は、高度計測部１０８が計測する高度に基づいて登山に関する記録を示す登山記録情報を生成する情報生成部１０１３と、情報生成部１０１３が生成する登山記録情報を記憶する記憶部１０６と、記憶部１０６が記憶する登山記録情報を近距離無線通信部１１４から携帯電子機器２００に送信する情報送信部１０１４と、を備える。
【００９１】
これにより、使用者は、携帯電子機器２００において登山記録情報を確認することができる。すなわち、使用者は、電子時計１００より表示性能の良い携帯電子機器２００において登山記録情報を見ることができるため、視認性が向上する。電子時計１００の表示部１０５には低消費のＴＮ−ＬＣＤを用いることができるため、消費電力の増加を抑えられる。
【００９２】
また、電子時計１００は、近距離無線通信部１１４を介して携帯電子機器２００から登山に関する計画を示す登山計画情報を受信する情報受信部１０１２を備え、情報生成部１０１３は、情報受信部１０１２が受信した登山計画情報に基づいて、登山記録情報を生成する。これにより、使用者は、電子時計１００より操作性の良い携帯電子機器２００において登山計画情報を生成することができる。電子時計１００の入力部１０４には、スイッチバネにより構成することができるため、サイズの増加を抑えられる。
【００９３】
また、登山計画情報は、上昇時の高度変化量を積算した上昇の積算高度値の計画値と、下降時の高度変化量を積算した下降の積算高度値の計画値とを含み、情報生成部１０１３は、高度計測部１０８が計測する高度に基づいて上昇の積算高度値と下降の積算高度値とを算出し、上昇の積算高度値の計画値に対する上昇の積算高度値の達成率である上昇の達成率と下降の積算高度値の計画値に対する下降の積算高度値の達成率である下降の達成率とを算出し、電子時計１００は、表示部１０５と、上昇の達成率と下降の達成率とを表示部１０５に表示する表示制御部１０１５と、を備える。
【００９４】
これにより、使用者は、自ら計算することなく、容易に全体の計画に対する登降の達成率を知ることができ、利便性が向上する。よって、使用者は、達成率を参考にして登山の継続や中止を即座に判断できるようになり、使用者の安全確保に繋げることができる。また、利用者は、上昇達成率及び下降達成率を同時に知ることができる。
【００９５】
また、計測システム１は、電子時計１００と携帯電子機器２００とで完結する構成であるため、パーソナルコンピュータ等を用いる必要がない。よって、登山中の気象変化等に対して登山計画の修正を容易にすることができる。また、充放電制御回路１１０は、負荷回路の動作に必要な電力が二次電池１１１に充電されるまでは負荷回路への電源供給は行わないため、負荷回路の動作が安定する。また、二次電池１１１の電池容量が略０からの発電による復帰が確実に行われる。
【００９６】
なお、上述した実施形態における電子時計１００または携帯電子機器２００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００９７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９８】
以上、本発明の実施形態について説明したが、本発明は、上記実施形態に限定されるものではなく、本発明の趣旨を逸脱しない範囲において種々の変更を加えることが可能である。
【００９９】
例えば、上述した実施形態では、制御部１０１は、上昇達成率及び下降達成率を算出して表示部１０５に表示しているが、これに限らず、上昇達成率のみを算出して表示してもよい。
【０１００】
また、上述した実施形態では、制御部１０１は、上昇達成率及び下降達成率をそれぞれインジケータで表示しているが、これに限らず、例えば数字等の他の表示手段により上昇達成率及び下降達成率を表示してもよい。
【０１０１】
また、上述した実施形態では、制御部１０１は、登高速度と高度と時刻とを上昇達成率及び下降達成率とともに表示部１０５に表示しているが、これに限らず、登高速度、高度または時刻のうち少なくとも１つ以上を上昇達成率及び下降達成率とともに表示部１０５に表示すればよい。
【符号の説明】
【０１０２】
１・・・計測システム、１００・・・電子時計、１０１・・・制御部、１０２・・・発振回路、１０３・・・分周回路、１０４・・・入力部、１０５・・・表示部、１０６・・・記憶部、１０７・・・気圧計測部、１０８・・・高度計測部、１０９・・・太陽電池、１１０・・・充放電制御回路、１１１・・・二次電池、１１２・・・スイッチ、１１３・・・アンテナ、１１４・・・近距離無線通信部、２００・・携帯電子機器、２０１・・・制御部、２０２・・・入力部、２０３・・・表示部、２０４・・・記憶部、２０５・・・アンテナ、２０６・・・近距離無線通信部、１０１１・・・電源制御部、１０１２・・・情報受信部、１０１３・・・情報生成部、１０１４・・・情報送信部、１０１５・・・表示制御部
【図１】
0006685735.tif 000002
【図２】
0006685735.tif 000003
【図３】
0006685735.tif 000004
【図４】
0006685735.tif 000005
【図５】
0006685735.tif 000006
【図６】
0006685735.tif 000007
【図７】
0006685735.tif 000008
【図８】
0006685735.tif 000009